(57)【要約】      （修正有）【課題】予防医療で注目される水素医学の分野における水素ガス供給具及び水素ガス吸引具を提供する。【解決手段】水素発生素子を挟む金具を取り付けたアクリル棒に小穴を空けて、反応槽１で生じた水素ガスが小穴を通って流出するように加工したアクリル棒をシリコン栓４に差し込み、同シリコン栓に設けてあるシリコンチューブ８の先端にガス分流具２に差し込むシリコン栓３を取り付けた水素ガス供給具とした。又、ガス分流具に差し込むシリコン栓を取り付けたシリコンチューブを、市販のコードロック９を通して、ストロー１１を差し込んであるストローホルダー１０に挿入して、コードロックで閉めてあるシリコンチューブを、コードロックを押して開いて、ストローで水素ガスを吸入できるようにした水素ガス吸引具とし、市販のガス採集袋１２に、ガス分流具に差し込むシリコン栓を取り付けた。【選択図】図１
0003234054.tif 000002
【実用新案登録請求の範囲】
【請求項１】
水素化カルシウム（ＣａＨ２）と水との反応で生じた水素ガスで上昇する、反応槽の内圧を利用して、伸縮自在の袋に水素ガスを吹き込み、膨らんだ袋内の水素ガスを短時間で吸入できるようにした水素ガス吸入具。
【考案の詳細な説明】
【技術の分野】
【０００１】  本考案は予防医療で注目されている水素医学の分野の技術に関するものである。
【０００２】  少子高齢化で深刻な事態に陥っている今日、水素が予防医療に効果があると注目されるようになって、水素水や水素サプリメントなどが出回り、厚生労働省が先進医療Ｂに水素ガス吸入療法を認定したのに伴って、電気分解で発生した水素ガスを鼻に装着したノズルや口に当てたマスクで吸入する大小様々な器具が急に目に付くようになって来た。しかし、これらの多くは、水素の医療効果は二の次で、水素商売の嫌いがあるが、これについては、水素医療に携わっている医療関係者の側にも問題があると言える。
【０００３】  ミトコンドリアは、生きるのに必要なエネルギーを生産する過程で、遺伝子や細胞自身に酸化で傷つける悪玉活性酸素も生産している。「これを水素で中和して無害にすることで、水素の医療効果が発揮されるのである」までは評価できる。しかし、それには、６０兆個の細胞内に籠もっている悪玉活性酸素を中和するのにどれ程の水素が必要か、その水素医学の基本が明記されていない。未定のままである。
【０００４】  それに、水素水でも水素サプリメントでも、水素吸入器でも、血中に水素を供給すると全身の細胞に水素が行き渡る事を前提にしているが、血中の水素濃度が低い場合でもそう言えるのか、それについては論述されていない。不明のままである。
【０００５】  そこで、呼吸をしながら、時間を掛けて少量の水素ガスを鼻から口から吸入する
0003234054.tif 000003
要か、その時間Ｔ０〔分〕を算出する［数１］式を求めて見た。
【数１】
0003234054.tif 000004
0003234054.tif 000005
0003234054.tif 000006
移動係数κが小さくなり、長時間掛けないと細胞に十分な水素が供給されない事を教えている。
【０００６】
0003234054.tif 000007
素を短時間で吸入する方法を開発して、２０秒で細胞に供給される水素量を算出する［数２］の式も求めて見た。
【数２】
0003234054.tif 000008
0003234054.tif 000009
濃度を測定するセンサーで実証されている。
【０００７】  ［数２］の吸入法によると、吸い始めから数１０秒で、血中の酸素濃度が減少するのが観測されている。これは細胞内に籠もっていた悪玉活性酸素が水素と反応して無害になって、ミトコンドリアが、酸素を吸収してエネルギーの生産を始めたこと
0003234054.tif 000010
の証拠である。
【０００８】  問題は本開発の吸入法［数２］と従来の吸入法［数１］との比較である。市販されて
0003234054.tif 000011
算出して下記の結果を得た。
0003234054.tif 000012
以上、日常生活の場で、細胞に籠もっている悪玉活性酸素を中和して、全身の６０兆個の細胞の酸化を防ぐことのできるのは本開発の［数２］の吸入法だけである。医療用に使用されている高価な水素吸入装置でも、４４分もの時間を掛けなければ本開発の吸入法に匹敵する効果は得られない。
【考案の開示】
【考案が解決しようとする課題】
【０００９】  ［数２］の吸入法は水素医学に必要不可欠な技術を提供するものであるが、水素ガスを溜めておく計量槽に多量の水が使用されているので、日常生活の場で安直に使用できないという問題があった。【００１０】
0003234054.tif 000013
るのは無理、などの問題もあった。スポーツやピクニックの現場で手軽に吸いたいがそれも難しい。また、水素が漏れない材料の厳選や加工費用も嵩んで、クリニックでは問題無いが、日常生活の場で安直に使用できるようにするにはいまいち工夫が必要であった。
【課題を解決するための手段】
【００１１】  そこで、計量槽の代わりに伸縮自在の袋を使用するが、この場合、袋からの水素
0003234054.tif 000014
吹き込むようにした。それには水と水素の反応速度を速める必要がある。そこで水素発生素子の袋を大きくし、袋の外部から内部に浸透する水の量を増やして、水とＣａＨ２との反応速度を速めることにした。水素の発生量は袋に封入するＣａＨ２の粉末の量で調整する。そして、反応で生じた水素で上昇した反応槽の内圧を利用して伸縮自在の袋に水素を吹き込み、その水素を２０秒で吸入できるようにした。
【考案の効果】
【００１２】  水素の発生量はＣａＨ２の量で調整できるので多量の水を用いて水素の量を測る計量
0003234054.tif 000015
縮自在の袋に供給するようにすると、その間の水素漏れは無視できるので、その心配も無くなり、材料の厳選も不要になり、製造加工は４００ｃｃの水を入れる反応槽だけになって、加工費は大幅に軽減される。【００１３】  質量も減って６５０ｇ、これはスポーツやピクニックの現場にも紙袋に入れて持ち運びできる重さである。また、一般家庭に限らず日常生活の場で老若男女誰でも十分
0003234054.tif 000016
の場合は伸縮自在の袋を軽く手で押して水素を押し出すようにして吸入することも可能である。【００１４】
0003234054.tif 000017
全身の細胞内に籠もっている悪玉活性酸素が中和で無害になるので、次の日の出勤まで生きて働く細胞をキープすることができる。【００１５】  本考案によれば、量産化で極安の吸入具が提供できるようになる。医学会で言われている水素の様々な効果が方々で実証されるようになると、口コミで吸入具が普及されるようになって、水素発生素子の量産化が課題になるが、自動化はしない。本水素発生素子は、折り紙ができる人なら誰にでも、手作りで、１時間に１０個は作れるように工夫されたものである。暮らしに困っている弱者に手を差し延べ、仕事を提供できるように工夫されたものである。【００１６】  加工費が１個１００円、ＣａＨ２と紙とボンドの材料費が７５円、合わせて１７５円なら、１日１個、健康作りに多くの人々が使用してくれるはずである。８５０万人の高齢者が働いていると言われている日本において、仮に将来、８５０万の労働者が１日１個、仕事前に使用するようになると、１日８億５０００万円、年間３１００億円の生活費を弱者に提供できる計算である。【００１７】  危険な水素ボンベなど、高圧容器のようなものには頼らない。水素ガスの純度を高めるフィルターも不要である。電気分解方式のように複雑で面倒な維持管理も要らない。危険が伴う大型水素発生装置にも頼らないで、日常、お茶を汲む感覚で十分な水素を取り組んで健康な細胞を維持することができる。健康寿命を伸ばす国策に応えることのできる、世界無類の水素ガス吸入具を本考案は提供するものである。
【考案を実施するための最良の形態】
【００１８】  断面図で表した反応槽１に４００ｃｃの水を入れて、反応槽で発生した水素がシリコン栓２に取り付けてあるノズル３から流出するように栓はしっかりと差し込み、ノズルと水素を溜め込む袋７とはシリコンチューブ４で連結する。また、水素を吸入するストロー５から水素が逃げないように、ストローを差し込んであるストローホルダー６とノズル３とを連結するシリコンチューブ４はクリップ８で挟んでおく。【００１９】  水が浸透するような強い紙の袋１０にＣａＨ２の粉末１１を封じた水素発生素子を、シリコン栓２に取り付けてある水素発生素子ホルダー９に挟んで水中に入れると、袋の内部に浸透してきた水とＣａＨ２とが反応して生じた水素で反応槽の内圧が上昇して、水素はシリコンチューブ４を通って袋に吹き込まれるが、その袋に溜まった
0003234054.tif 000018
ップ８を外して２０秒で吸入できるように工夫してある。【００２０】  吸引力の衰えた病人や高齢者の場合は、袋を軽く手で押して、水素を袋から押し出すようにして水素を吸入することも可能である。
【図面の簡単な説明】
【００２１】
【図１】
0003234054.tif 000019
【符号の説明】
【００２２】１．  反応槽
２．  シリコン栓
３．  ノズル
４．  シリコンチューブ
５．  ストロー
６．  ストローホルダー
７．  伸縮自在の袋
８．  クリップ
９．  水素発生素子ホルダー
１０．ＣａＨ２を封入した紙の袋
１１．ＣａＨ２の粉末
【図１】
0003234054.tif 000020
【手続補正書】
【提出日】令和3年1月10日(2021.1.10)
【手続補正１】
【補正対象書類名】実用新案登録請求の範囲
【補正対象項目名】全文
【補正方法】変更
【補正の内容】
【実用新案登録請求の範囲】
【請求項１】
水に強い紙で作った袋に水素化カルシウム（ＣａＨ２）を封じ込めた水素発生素子を、シリコン栓に施してある水素ホルダーに取付けて、反応槽内の水に浸すと同時にシリコン栓で密封して、浸透水とＣａＨ２の反応で生じた水素ガスを、もう一方のシリコン栓に差し込んであるノズルから、シリコンチューブで、ガス採集袋とコードロック・ストローホルダー・ストローから成る水素ガス吸引具に送り、採集袋に多量の水素ガスが溜まった時点でコードロックを押してシリコンチューブを開いて、多量の水素ガスを短時間で吸入できるようにした、水素ガス吸入具。
【手続補正２】
【補正対象書類名】明細書
【補正対象項目名】全文
【補正方法】変更
【補正の内容】
【考案の詳細な説明】
【技術の分野】
【０００１】  本考案は予防医療で注目されている水素医学の分野の技術に関するものである。
【０００２】  少子高齢化で深刻な事態に陥っている今日、水素が予防医療に効果があると注目されるようになって、水素水や水素サプリメントなどが出回り、厚生労働省が先進医療Ｂに水素ガス吸入療法を認定したのに伴って、電気分解で発生した水素ガスを鼻に装着したノズルや口に当てたマスクで吸入する大小様々な器具が急に目に付くようになって来た。しかし、これらの多くは、水素の医療効果は二の次で、水素商売の嫌いがあるが、これについては、水素医療に携わっている医療関係者の側にも問題があると言える。
【０００３】  ミトコンドリアは、生きるのに必要なエネルギーを生産する過程で、遺伝子や細胞自身に酸化で傷つける悪玉活性酸素も生産している。「これを水素で中和して無害にすることで、水素の医療効果が発揮されるのである」までは評価できる。しかし、それには、６０兆個の細胞内に籠もっている悪玉活性酸素を中和するのにどれ程の水素が必要か、その水素医学の基本が明記されていない。未定のままである。
【０００４】  それに、水素水でも水素サプリメントでも、水素吸入器でも、血中に水素を供給すると全身の細胞に水素が行き渡る事を前提にしているが、血中の水素濃度が低い場合でもそう言えるのか、これについても論述されていない。不明のままである。
【０００５】  そこで、呼吸をしながら、時間を掛けて少量の水素ガスを鼻から口から吸入する
0003234054.tif 000021
要か、その時間Ｔ０〔分〕を算出する［数１］式を求めて見た。
【数１】
0003234054.tif 000022
0003234054.tif 000023
0003234054.tif 000024
移動係数κが小さくなり、長時間掛けないと細胞に十分な水素が供給されない事を教えている。
【０００６】
0003234054.tif 000025
素を短時間で吸入する方法を開発して、２０秒で細胞に供給される水素量を算出する［数２］の式も求めて見た。
【数２】
0003234054.tif 000026
0003234054.tif 000027
濃度を測定するセンサーで実証されている。
【０００７】  ［数２］の吸入法によると、吸い始めから数１０秒で、血中の酸素濃度が減少するのが観測されている。これは細胞内に籠もっていた悪玉活性酸素が水素と反応して無害になって、ミトコンドリアが、酸素を吸収してエネルギーの生産を始めたこと
0003234054.tif 000028
の証拠である。
【０００８】  問題は本開発の吸入法［数２］と従来の吸入法［数１］との比較である。市販されて
0003234054.tif 000029
算出して下記の結果を得た。
１．医療用吸入装置の場合
0003234054.tif 000030
３．水素水の場合
0003234054.tif 000031
水を１０時間飲み続ける必要がある。
以上、日常生活の場で、細胞に籠もっている悪玉活性酸素を中和して、全身の６０兆個の細胞の酸化を防ぐことのできるのは本開発の［数２］の吸入法だけである。医療用に使用されている高価な水素吸入装置でも、４４分もの時間を掛けなければ本開発の吸入法に匹敵する効果は得られない。
【考案の開示】
【考案が解決しようとする課題】
【０００９】  ［数２］の吸入法は水素医学に必要不可欠な技術を提供するものであるが、水素ガスを溜めておく計量槽に多量の水が使用されているので、日常生活の場で安直に使用できないという問題があった。【００１０】
0003234054.tif 000032
入するのは無理、などの問題もあった。スポーツやピクニックの現場で手軽に吸いたいがそれも難しい。また、水素が漏れない材料の厳選や加工費用も嵩んで、クリニックでは問題無いが、日常生活の場で安直に使用できるようにするにはいまいち工夫が必要であった。
【課題を解決するための手段】
【００１１】  そこで、計量槽の代わりに市販されているガス採集袋を使用するようにしたが、この場合、袋からの水素の漏れが問題になるので、その漏れを無視できるように数
0003234054.tif 000033
速度を速める必要がある。そこで水素発生素子の袋を大きくし、袋の外部から内部に浸透する水の量を増やして、水とＣａＨ２との反応速度を速めることにした。水素の発生量は袋に封入するＣａＨ２の粉末の量で調整する。そして、反応で生じた水素で上昇した反応槽の内圧を利用してガス採集袋（市販品）に水素を溜めて、その水素を２０秒以内で吸入できるようにした。
【考案の効果】
【００１２】  水素の発生量はＣａＨ２の量で調整できるので多量の水を用いて水素の量を測る計量
0003234054.tif 000034
ス採集袋に供給するようにすると、その間の水素漏れは無視できるので、その心配も無くなり、材料の厳選も不要になり、製造加工は４００ｃｃの水を入れる反応槽だけになって、加工費は大幅に軽減される。【００１３】  質量も減って６５０ｇ、これはスポーツやピクニックの現場にも紙袋に入れて持ち運びできる重さである。また、一般家庭に限らず日常生活の場で老若男女誰でも十分
0003234054.tif 000035
病人の場合はガス採集袋を軽く手で押して水素を押し出すようにして吸入することも可能である。【００１４】
0003234054.tif 000036
内に籠もっている悪玉活性酸素を中和で無害にして出勤すると、次の日の出勤まで活きて働く細胞をキープすることができるようになる。【００１５】  本考案によれば、量産化で極安の吸入具が提供できるようになる。医学会で言われている水素の様々な効果が方々で実証されるようになると、口コミで吸入具が普及されるようになって、水素発生素子の量産化が課題になるが、自動化はしない。本水素発生素子は、折り紙ができる人なら誰にでも、手作りで、１時間に１０個は作れるように工夫されたものである。暮らしに困っている弱者に手を差し延べ、仕事を提供できるように工夫されたものである。【００１６】  加工費が１個１００円、ＣａＨ２と紙とボンドの材料費が７５円、合わせて１７５円なら、１日１個、健康作りに多くの人々が使用してくれるはずである。８５０万人の高齢者が働いていると言われている日本において、仮に将来、８５０万の労働者が１日１個、仕事前に使用するようになると、１日８億５０００万円、年間３１００億円の生活費を弱者に提供できる計算である。【００１７】  危険な水素ボンベなど、高圧容器のようなものには頼らない。水素ガスの純度を高めるフィルターも不要である。電気分解方式のように複雑で面倒な維持管理も要らない。危険が伴う大型水素発生装置にも頼らないで、日常、お茶を汲む感覚で十分な水素を取り込んで健康な細胞を維持することができる。健康寿命を伸ばす国策に応えることのできる、世界無類の水素ガス吸入具を本考案は提供するものである。
【考案を実施するための最良の形態】
【００１８】  断面図で表した反応槽１に４００ｃｃの水を入れて、反応槽で発生した水素がシリコン栓２に取り付けてあるノズル３から流出するように栓はしっかりと差し込み、ノズルと水素を溜めるガス採集袋（市販品）４とは水素ガス供給用シリコンチューブ５で連結する。また、コードロック（市販品）６とストローホルダー７とストロー８から成る水素吸引具９とノズルとは水素ガス吸入用シリコンチューブ１０で連結されているが、そのチューブはコードロックで締めてあるので、発生した水素はガス採集袋に供給されて、一杯に溜まった時点でコードロックを押して、チューブを開いて水素を吸引するようにしてある。【００１９】  水が浸透するような水に強い紙の袋１１にＣａＨ２の粉末１２を封じた水素発生素子１３を、シリコン栓に取り付けてある水素発生素子ホルダー１４に挟んで水中に入れてシリコン栓で密封すると、袋の内部に浸透してきた水とＣａＨ２とが反応して生じた水素で反応槽の内圧が上昇して、水素は水素ガス供給用シリコンチューブ５を通
0003234054.tif 000037
押して、短時間で吸入できるように工夫してある。【００２０】  吸引力の衰えた病人や高齢者の場合は、袋を軽く手で押して、水素を袋から押し出すようにして水素を吸入することも可能である。
【図面の簡単な説明】
【００２１】
【図１】
0003234054.tif 000038
【符号の説明】
【００２２】１．  反応槽
２．  シリコン栓
３．  ノズル
４．  ガス採集袋（市販品）
５．  水素ガス供給用シリコンチューブ
６．  コードロック（市販品）
７．  ストローホルダー
８．  ストロー
９．  水素吸引具
１０．水素ガス吸入用シリコンチューブ
１１．水に強い紙の袋
１２．ＣａＨ２の粉末
１３．水素発生素子
１４．水素発生素子ホルダー
【手続補正３】
【補正対象書類名】図面
【補正対象項目名】全図
【補正方法】変更
【補正の内容】
【図１】
0003234054.tif 000039
【手続補正書】
【提出日】令和3年5月29日(2021.5.29)
【手続補正１】
【補正対象書類名】実用新案登録請求の範囲
【補正対象項目名】全文
【補正方法】変更
【補正の内容】
【実用新案登録請求の範囲】
【請求項１】
水素発生素子を挟む金具を取り付けたアクリル棒に小穴を空けて、反応槽で生じた水素ガスが小穴を通って流出するように加工したアクリル棒をシリコン栓に差し込み、同シリコン栓に設けてあるシリコンチューブの先端にガス分流具に差し込むシリコン栓を取り付けた水素ガス供給具。
【請求項２】
ガス分流具に差し込むシリコン栓を取り付けたシリコンチューブを、市販のコードロックを通して、ストローを差し込んであるストローホルダーに挿入して、コードロックで閉めてあるシリコンチューブを、コードロックを押して開いて、ストローで水素ガスを吸入できるようにした水素ガス吸引具。
【請求項３】
市販のガス採集袋に、ガス分流具に差し込むシリコン栓を取り付けた水素ガス採集袋。
【手続補正２】
【補正対象書類名】明細書
【補正対象項目名】全文
【補正方法】変更
【補正の内容】
【考案の詳細な説明】
【技術の分野】
【０００１】  本考案は予防医療で注目されている水素医学の分野の技術に関するものである。
【０００２】  少子高齢化で深刻な事態に陥っている今日、水素が予防医療に効果があると注目されるようになって、水素水や水素サプリメントなどが出回り、厚生労働省が先進医療Ｂに水素ガス吸入療法を認定したのに伴って、電気分解で発生した水素ガスを鼻に装着したノズルや口に当てたマスクで吸入する大小様々な器具が急に目に付くようになって来た。しかし、これらの多くは、水素の医療効果は二の次で、水素商売の嫌いがあるが、これについては、水素医療に携わっている医療関係者の側にも問題があると言える。
【０００３】  ミトコンドリアは、生きるのに必要なエネルギーを生産する過程で、遺伝子や細胞自身に酸化で傷つける悪玉活性酸素も生産している。「これを水素で中和して無害にすることで、水素の医療効果が発揮されるのである」までは評価できる。しかし、それには、６０兆個の細胞内に籠もっている悪玉活性酸素を中和するのにどれ程の水素が必要か、その水素医学の基本が明記されていない。未定のままである。
【０００４】  それに、水素水でも水素サプリメントでも、水素吸入器でも、血中に水素を供給すると全身の細胞に水素が行き渡る事を前提にしているが、血中の水素濃度が低い場合でもそう言えるのか、これについても論述されていない。不明のままである。
【０００５】  そこで、呼吸をしながら、時間を掛けて少量の水素ガスを鼻から口から吸入する
0003234054.tif 000040
要か、その時間Ｔ０〔分〕を算出する［数１］式を求めて見た。
【数１】
0003234054.tif 000041
0003234054.tif 000042
0003234054.tif 000043
移動係数κが小さくなり、長時間掛けないと細胞に十分な水素が供給されない事を教えている。
【０００６】
0003234054.tif 000044
素を短時間で吸入する方法を開発して、２０秒で細胞に供給される水素量を算出する［数２］の式も求めて見た。
【数２】
0003234054.tif 000045
0003234054.tif 000046
濃度を測定するセンサーで実証されている。
【０００７】  ［数２］の吸入法によると、吸い始めから数１０秒で、血中の酸素濃度が減少するのが観測されている。これは細胞内に籠もっていた悪玉活性酸素が水素と反応して無害になって、ミトコンドリアが、酸素を吸収してエネルギーの生産を始めたこと
0003234054.tif 000047
の証拠である。
【０００８】  問題は本開発の吸入法［数２］と従来の吸入法［数１］との比較である。市販されて
0003234054.tif 000048
算出して下記の結果を得た。
１．医療用吸入装置の場合
0003234054.tif 000049
３．水素水の場合
0003234054.tif 000050
水を１０時間飲み続ける必要がある。
以上、日常生活の場で、細胞に籠もっている悪玉活性酸素を中和して、全身の６０兆個の細胞の酸化を防ぐことのできるのは本開発の［数２］の吸入法だけである。医療用に使用されている高価な水素吸入装置でも、４４分もの時間を掛けなければ本開発の吸入法に匹敵する効果は得られない。
【考案の開示】
【考案が解決しようとする課題】
【０００９】  ［数２］の吸入法は水素医学に必要不可欠な技術を提供するものであるが、水素ガスを溜めておく計量槽に多量の水が使用されているので、日常生活の場で安直に使用できないという問題があった。【００１０】
0003234054.tif 000051
入するのは無理、などの問題もあった。スポーツやピクニックの現場で手軽に吸いたいがそれも難しい。また、水素が漏れない材料の厳選や加工費用も嵩んで、クリニックでは問題無いが、日常生活の場で安直に使用できるようにするにはいまいち工夫が必要であった。
【課題を解決するための手段】
【００１１】  そこで、計量槽の代わりに市販されているガス採集袋を使用するようにしたが、この場合、袋からの水素の漏れが問題になるので、その漏れを無視できるように数
0003234054.tif 000052
用新案登録第３２２９１２１号）の袋を大きくし、袋の外部から内部に浸透する水の量を増やして、水とＣａＨ２との反応速度を速めることにした。また、水素の発生量は袋に封入するＣａＨ２の粉末の量で調整することにして、反応で生じた多量の水素は、反応で上昇した反応槽の内圧を利用してガス採集袋（市販品）に溜めて、その水素を短時間、例えば２０秒以内で吸入できるようにした。
【考案の効果】
【００１２】水素の発生量はＣａＨ２の量で調整できるので多量の水を用いて水素の量を測る計量
0003234054.tif 000053
ス採集袋に供給するようにすると、その間の水素漏れは無視できるので、その心配も無くなり、材料の厳選も不要になり、製造加工は４００ｃｃの水を入れる反応槽だけになって、加工費は大幅に軽減される。【００１３】質量も減って６５０ｇ、これはスポーツやピクニックの現場にも紙袋に入れて持ち運びできる重さである。また、一般家庭に限らず日常生活の場で老若男女誰でも十分
0003234054.tif 000054
病人の場合はガス採集袋を軽く手で押して水素を押し出すようにして吸入することも可能である。【００１４】
0003234054.tif 000055
内に籠もっている悪玉活性酸素を中和で無害にして出勤すると、次の日の出勤まで活きて働く細胞をキープすることができるようになる。【００１５】  本考案によれば、量産化で極安の吸入具が提供できるようになる。医学会で言われている水素の様々な効果が方々で実証されるようになると、口コミで吸入具が普及されるようになって、水素発生素子の量産化が課題になるが、自動化はしない。本水素発生素子は、折り紙ができる人なら誰にでも、手作りで、１時間に１０個は作れるように工夫されたものである。暮らしに困っている弱者に手を差し延べ、仕事を提供できるように工夫されたものである。【００１６】  加工費が１個１００円、ＣａＨ２と紙とボンドの材料費が７５円、合わせて１７５円なら、１日１個、健康作りに多くの人々が使用してくれるはずである。８５０万人の高齢者が働いていると言われている日本において、仮に将来、８５０万の労働者が１日１個、仕事前に使用するようになると、１日８億５０００万円、年間３１００億円の生活費を弱者に提供できる計算である。【００１７】  危険な水素ボンベなど、高圧容器のようなものには頼らない。水素ガスの純度を高めるフィルターも不要である。電気分解方式のように複雑で面倒な維持管理も要らない。危険が伴う大型水素発生装置にも頼らないで、日常、お茶を汲む感覚で十分な水素を取り込んで健康な細胞を維持することができる。健康寿命を伸ばす国策に応えることのできる、世界無類の水素ガス吸入具を本考案は提供するものである。
【考案を実施するための最良の形態】
【００１８】  本考案の目的は、日常の生活の場で安直に使用できる水素ガス吸入器を、老若男女を問わず多くの方々に提供できるようにすることである。それには三つの条件が要求される。極安と取扱い簡便とメンテナンス保証、この三っである。【００１９】  そこで、図１のように反応槽１とガス分流具２から成る器具に、三つの部品、図２の水素ガス供給具と水素ガス吸引具（図３）と図４の水素ガス採集袋を装着して、十分な水素ガスが短時間で吸入できるようにした。特に水素ガスは良く漏れるので、各部品の接続部にはシリコン栓３を用いて、ワンタッチで完全な接続ができるようにした。また、水素ガス供給具を反応槽に差し込むと一瞬にして水素が発生するが、その水素を外に漏らさないで済むように、反応槽と水素ガス供給具との接合部にもシリコン栓４を用いることにした。これによると、機能が損なわれた部品の交換は、シリコン栓を抜いてワンタッチで出来るようになるので、メンテナンスの問題は解消される。ドライバーなどの工具類は一切不要である。【００２０】  シリコン栓４に差し込んであるアクリル棒５に設けた金具６で水素発生素子を挟み反応槽内の水に入れると同時にシリコン栓で密封すると、水素発生素子に封じ込めてあるＣａＨ２と浸透水との反応で生じた水素は、アクリル棒に開けてある小穴７を通り、シリコン栓に取付けてあるシリコンチューブ８を通ってガス分流具２に供給される。そこから水素ガスは、ガス分流具に差し込んであるシリコン栓３を通じて水素ガス採集袋と水素ガス吸引具に送り込まれるようになっているが、水素ガス吸引具のコードロック９で閉めてあるので、水素は図４の水素ガス採集袋１２に供給
0003234054.tif 000056
るように工夫した。【００２１】  吸引力の衰えた病人や高齢者の場合は、袋を軽く手で押して、水素を袋から押し出すようにして水素を吸入することも可能である。
【図面の簡単な説明】
【００２２】
【図１】
0003234054.tif 000057
【図２】  反応槽内の水に水素発生素子を入れると同時にシリコン栓で密封して、反応槽で生じた水素ガスを、アクリル棒に開けた小穴からシリコンチューブを通してガス分流具に供給するようにした水素ガス供給具の一部断面図である。
【図３】  ガス分流具に差し込むシリコン栓を取り付けたりシリコンチューブを閉めるコードロックとストローホルダーとストローから成る水素ガス吸引具の一部断面図である。
【図４】  市販のガス採集袋に、ガス分流具に差し込むシリコン栓を取り付けた水素ガス採集袋の一部断面図である。
【符号の説明】
【００２３】１．  反応槽
２．  ガス分流具
３．  ガス分流具に差し込むシリコン栓
４．  反応槽に差し込むシリコン栓
５．  反応そうで生じた水素ガスの通り道を設けたアクリル棒
６．  水素発生素子取り付け金具
７．  反応槽で生じた水素ガスを通す小穴
８．  シリコンチューブ
９．  シリコンチューブを閉めるコードロック（市販品）
１０．ストローホルダー
１１．ストロー
１２．ガス採集袋（市販品）
【手続補正３】
【補正対象書類名】図面
【補正対象項目名】全図
【補正方法】変更
【補正の内容】
【図１】
0003234054.tif 000058
【図２】
0003234054.tif 000059
【図３】
0003234054.tif 000060
【図４】
0003234054.tif 000061